(57)【特許請求の範囲】
【請求項１】
コンピュータが、
所定の上限金額未満の入金が可能な顧客が携帯する記録媒体の現在の所在位置に関する情報を取得する現在地取得工程と、
前記現在地取得工程によって取得された情報に基づいて、当該所在位置において流通する通貨を判断する通貨判断工程と、
前記通貨判断工程によって判断された通貨に対応させて前記所定の上限金額を決定する上限金額決定工程と、
前記記録媒体から、当該記録媒体にチャージされているチャージ金額情報を読み取る読取工程と、
前記読取工程によって読み取られたチャージ金額情報にかかるチャージ金額を前記通貨判断工程によって判断された通貨によるチャージ金額に換算する通貨換算工程と、
前記顧客との商取引に関する取引金額を前記上限金額決定工程によって決定された上限金額で除算した結果求められた余りを端数金額として決定する決定工程と、
前記通貨換算工程によって換算されたチャージ金額が前記決定工程によって決定された端数金額未満であるか否かを判断する判断工程と、
前記チャージ金額が前記端数金額未満であると前記判断工程によって判断された場合、前記上限金額から前記端数金額を減算することによって、前記記録媒体へのチャージ金額を算出する入金額算出工程と、
前記入金額算出工程によって算出されたチャージ金額を前記記録媒体へチャージする入出金工程と、
を実行することを特徴とする決済方法。
【請求項２】
前記コンピュータが、
前記記録媒体の外面に、前記入出金工程によって当該記録媒体へチャージされているチャージ金額を印刷する印刷工程をさらに実行することを特徴とする請求項１に記載の決済方法。
【請求項３】
前記コンピュータが、前記通貨換算工程によって換算された通貨を当該通貨におけるチャージ金額として表示する表示工程をさらに実行することを特徴とする請求項１に記載の決済方法。
【請求項４】
前記コンピュータが、
前記顧客からの指示を受け付ける入力工程をさらに実行し、
前記通貨換算工程は、前記チャージ金額を前記入力工程によって指示を受け付けた通貨による金額に換算し、
前記表示工程は、前記通貨換算工程によって換算された通貨を当該通貨におけるチャージ金額として表示することを特徴とする請求項３に記載の決済方法。
【請求項５】
前記コンピュータが、換算レートに関する情報を取得する換算レート取得工程をさらに実行し、
前記通貨換算工程は、前記換算レート取得工程によって取得された換算レート情報に基づいて前記チャージ金額の換算をおこなうことを特徴とする請求項３または４に記載の決済方法。
【請求項６】
前記入出金工程は、
前記チャージ金額が前記端数金額未満ではないと前記判断工程によって判断された場合、前記端数金額を前記記録媒体から引き落とすことを特徴とする請求項１〜５のいずれか一つに記載の決済方法。
【請求項７】
前記コンピュータが、前記チャージ金額が前記端数金額未満であると前記判断工程によって判断された場合、前記取引金額を前記上限金額単位に切り上げすることによって、前記顧客の支払金額を算出する支払金額算出工程をさらに実行することを特徴とする請求項１〜６のいずれか一つに記載の決済方法。
【請求項８】
前記支払金額算出工程は、
前記チャージ金額が前記端数金額未満ではないと前記判断工程によって判断された場合、前記取引金額を前記上限金額単位に切り下げした金額を、前記顧客の支払金額として算出することを特徴とする請求項７に記載の決済方法。
【請求項９】
前記コンピュータが、前記顧客が支払った前記上限金額単位の金額から、前記支払金額算出工程によって算出された支払金額を減算することによって、前記上限金額単位のつり銭金額を算出するつり銭金額算出工程をさらに実行することを特徴とする請求項７または８に記載の決済方法。
【請求項１０】
前記上限金額は、最小単位の硬貨よりも金額が大きい貨幣の金額と同額であることを特徴とする請求項１〜９のいずれか一つに記載の決済方法。
【請求項１１】
前記上限金額は、最大単位の硬貨よりも金額が大きい紙幣の金額と同額であることを特徴とする請求項１〜９のいずれか一つに記載の決済方法。
【請求項１２】
前記上限金額は、最大単位の硬貨よりも金額が大きい紙幣のうち、最小単位の紙幣の金額と同額であることを特徴とする請求項１１に記載の決済方法。
【請求項１３】
所定の上限金額未満の入金が可能な顧客が携帯する記録媒体の現在の所在位置に関する情報を取得する現在地取得工程と、
前記現在地取得工程によって取得された情報に基づいて、当該所在位置において流通する通貨を判断する通貨判断工程と、
前記通貨判断工程によって判断された通貨に対応させて前記所定の上限金額を決定する上限金額決定工程と、
前記記録媒体から、当該記録媒体にチャージされているチャージ金額情報を読み取る読取工程と、
前記読取工程によって読み取られたチャージ金額情報にかかるチャージ金額を前記通貨判断工程によって判断された通貨によるチャージ金額に換算する通貨換算工程と、
前記顧客との商取引に関する取引金額を前記上限金額決定工程によって決定された上限金額で除算した結果求められた余りを端数金額として決定する決定工程と、
前記通貨換算工程によって換算されたチャージ金額が前記決定工程によって決定された端数金額未満であるか否かを判断する判断工程と、
前記チャージ金額が前記端数金額未満であると前記判断工程によって判断された場合、前記上限金額から前記端数金額を減算することによって、前記記録媒体へのチャージ金額を算出する入金額算出工程と、
前記入金額算出工程によって算出されたチャージ金額を前記記録媒体へチャージする入出金工程と、
をコンピュータに実行させることを特徴とする決済プログラム。
【請求項１４】
所定の上限金額未満の入金が可能な顧客が携帯する記録媒体の現在の所在位置に関する情報を取得する現在地取得手段と、
前記現在地取得手段によって取得された情報に基づいて、当該所在位置において流通する通貨を判断する通貨判断手段と、
前記通貨判断手段によって判断された通貨に対応させて前記所定の上限金額を決定する上限金額決定手段と、
前記記録媒体から、当該記録媒体にチャージされているチャージ金額情報を読み取る読取手段と、
前記読取手段によって読み取られたチャージ金額情報にかかるチャージ金額を前記通貨判断手段によって判断された通貨によるチャージ金額に換算する通貨換算手段と、
前記顧客との商取引に関する取引金額を前記上限金額決定手段によって決定された上限金額で除算した結果求められた余りを端数金額として決定する決定手段と、
前記通貨換算手段によって換算されたチャージ金額が前記決定手段によって決定された端数金額未満であるか否かを判断する判断手段と、
前記チャージ金額が前記端数金額未満であると前記判断手段によって判断された場合、前記上限金額から前記端数金額を減算することによって、前記記録媒体へのチャージ金額を算出する入金額算出手段と、
前記入金額算出手段によって算出されたチャージ金額を前記記録媒体へチャージする入出金手段と、
を備えたことを特徴とする決済装置。
【発明の詳細な説明】
【技術分野】
【０００１】
この発明は、顧客による商取引の取引金額を決済する決済方法、決済プログラム、および決済装置に関する。
【背景技術】
【０００２】
従来、顧客が商品を購入したり、有償のサービスを利用するなどの商取引をおこなう際、現金による取引が一般的であるが、このような現金取引の場合、顧客、売主、サービス提供者いずれにおいても小銭を扱う煩わしさが問題となっていた。特に顧客においては、つり銭として渡された小銭を持ち歩いたり、使用したりすることがめんどうなため、この小銭を潜在化させてしまう場合が少なくない。
【０００３】
そこで、近年では、多くの店舗において、顧客が現金を持たずに、サービスを利用することを可能とする、クレジットカードシステムが導入されている（たとえば下記特許文献１参照。）。このようなクレジットカードシステムにより、各当事者において、煩わしい小銭を取り扱うことなく、取引を決済することができるものとされている。
【０００４】
【特許文献１】特開平８−３０５９３４号公報
【発明の開示】
【発明が解決しようとする課題】
【０００５】
しかしながら、クレジットカードの盗難・紛失・悪用・乱用などのリスクが高いことなどを理由に、現金を好んで利用する顧客も多く、このような現金を利用する顧客にとっては、小銭を取り扱う煩わしさを解消することができず、結果的に、現金取引における利便性の低下、使用しないまま保管してしまう小銭の潜在化が問題となっていた。
【０００６】
また、海外旅行の際に発生した各国通貨による小銭はほとんど換金することができないため、そのまま持ち帰ることが多いが、その用途がないため、そのほとんどが使われることなく無駄になってしまうという問題点があった。
【０００７】
この発明は、上述した従来技術による問題点を解消するため、現金による商取引であっても、小銭を取り扱う煩わしさを解消することができ、結果的に、現金取引における利便性の向上、小銭の有効活用を図ることができる決済方法、決済プログラム、および決済装置を提供することを目的とする。
【課題を解決するための手段】
【０００８】
上述した課題を解決し、目的を達成するため、この発明にかかる決済方法は、所定の上限金額未満の入金が可能な顧客が携帯する記録媒体から、当該記録媒体にチャージされているチャージ金額情報を読み取る読取工程と、前記顧客との商取引に関する取引金額を前記上限金額で除算した結果求められた余りを端数金額として決定する決定工程と、前記読取工程によって読み取られた前記チャージ金額情報にかかるチャージ金額が前記決定工程によって決定された端数金額未満であるか否かを判断する判断工程と、前記チャージ金額が前記端数金額未満であると前記判断工程によって判断された場合、前記上限金額から前記端数金額を減算することによって、前記記録媒体へのチャージ金額を算出する入金額算出工程と、前記入金額算出工程によって算出されたチャージ金額を前記記録媒体へチャージする入出金工程と、を含んだことを特徴とする。
【０００９】
また、この発明にかかる決済方法は、上記に記載の発明において、前記記録媒体の外面に、当該記録媒体にチャージされているチャージ金額を印刷する印刷工程をさらに含んだことを特徴とする。
【００１０】
また、この発明にかかる決済方法は、上記に記載の発明において、前記記録媒体において実行される、前記顧客からの指示を受け付ける入力工程と、前記チャージ金額を前記入力工程によって指示を受け付けた通貨による金額に換算する通貨換算工程と、前記通貨換算工程によって換算された通貨を当該通貨におけるチャージ金額として表示する表示工程と、を含んだことを特徴とする。
【００１１】
また、この発明にかかる決済方法は、上記に記載の発明において、前記記録媒体において実行される、前記記録媒体の現在の所在位置に関する情報を取得する現在地取得工程と、前記現在地取得工程によって取得された情報に基づいて、当該所在位置において流通する通貨を判断する判断工程と、前記チャージ金額を前記判断工程によって判断された通貨による金額に換算する通貨換算工程と、前記通貨換算工程によって換算された通貨を当該通貨におけるチャージ金額として表示する表示工程と、を含んだことを特徴とする。
【００１２】
また、この発明にかかる決済方法は、上記に記載の発明において、換算レートに関する情報を取得する換算レート取得工程をさらに含み、前記通貨換算工程が、前記換算レート取得工程によって取得された換算レート情報に基づいて前記チャージ金額の換算をおこなうことを特徴とする。
【００１３】
また、この発明にかかる決済方法は、上記に記載の発明において、前記入出金工程が、前記チャージ金額が前記端数金額未満ではないと前記判断工程によって判断された場合、前記端数金額を前記記録媒体から引き落とすことを特徴とする。
【００１４】
また、この発明にかかる決済方法は、上記に記載の発明において、前記チャージ金額が前記端数金額未満であると前記判断工程によって判断された場合、前記取引金額を前記上限金額単位に切り上げすることによって、前記顧客の支払金額を算出する支払金額算出工程をさらに含んだことを特徴とする。
【００１５】
また、この発明にかかる決済方法は、上記に記載の発明において、前記支払金額算出工程が、前記チャージ金額が前記端数金額未満ではないと前記判断工程によって判断された場合、前記取引金額を前記上限金額単位に切り下げした金額を、前記顧客の支払金額として算出することを特徴とする。
【００１６】
また、この発明にかかる決済方法は、上記に記載の発明において、前記顧客が支払った前記上限金額単位の金額から、前記支払金額算出工程によって算出された支払金額を減算することによって、前記上限金額単位のつり銭金額を算出するつり銭金額算出工程をさらに含んだことを特徴とする。
【００１７】
また、この発明にかかる決済方法は、上記に記載の発明において、前記上限金額が、最小単位の硬貨よりも金額が大きい貨幣の金額と同額であることを特徴とする。
【００１８】
また、この発明にかかる決済方法は、上記に記載の発明において、前記上限金額が、最大単位の硬貨よりも金額が大きい紙幣の金額と同額であることを特徴とする。
【００１９】
また、この発明にかかる決済方法は、上記に記載の発明において、前記上限金額が、最大単位の硬貨よりも金額が大きい紙幣のうち、最小単位の紙幣の金額と同額であることを特徴とする。
【００２０】
また、この発明にかかる決済プログラムは、所定の上限金額未満の入金が可能な顧客が携帯する記録媒体から、当該記録媒体にチャージされているチャージ金額情報を読み取る読取工程と、前記顧客との商取引に関する取引金額を前記上限金額で除算した結果求められた余りを端数金額として決定する決定工程と、前記読取工程によって読み取られた前記チャージ金額情報にかかるチャージ金額が前記決定工程によって決定された端数金額未満であるか否かを判断する判断工程と、前記チャージ金額が前記端数金額未満であると前記判断工程によって判断された場合、前記上限金額から前記端数金額を減算することによって、前記記録媒体へのチャージ金額を算出する入金額算出工程と、前記入金額算出工程によって算出されたチャージ金額を前記記録媒体へチャージする入出金工程と、をコンピュータに実行させることを特徴とする。
【００２１】
また、この発明にかかる決済装置は、上記に記載の発明において、所定の上限金額未満の入金が可能な顧客が携帯する記録媒体から、当該記録媒体にチャージされているチャージ金額情報を読み取る読取手段と、前記顧客との商取引に関する取引金額を前記上限金額で除算した結果求められた余りを端数金額として決定する決定手段と、前記読取手段によって読み取られた前記チャージ金額情報にかかるチャージ金額が前記決定手段によって決定された端数金額未満であるか否かを判断する判断手段と、前記チャージ金額が前記端数金額未満であると前記判断手段によって判断された場合、前記上限金額から前記端数金額を減算することによって、前記記録媒体へのチャージ金額を算出する入金額算出手段と、前記入金額算出手段によって算出されたチャージ金額を前記記録媒体へチャージする入出金手段と、を備えたことを特徴とする。
【発明の効果】
【００２２】
本発明によれば、現金による商取引であっても、小銭を取り扱う煩わしさを解消することができ、結果的に、現金取引における利便性の向上、小銭の有効活用を図ることができる決済方法、決済プログラム、および決済装置が得られるという効果を奏する。
【発明を実施するための最良の形態】
【００２３】
以下に添付図面を参照して、この発明にかかる決済方法、決済プログラム、および決済装置の好適な実施の形態を詳細に説明する。
【００２４】
（実施の形態１）
（決済システムの概要）
まず、本実施の形態にかかる決済システムの概要について説明する。図１は、本実施の形態にかかる決済システムの概要を示す説明図である。
【００２５】
図１において、本実施の形態にかかる決済システム１００は、顧客が有するクレジットカード１１０と、上記クレジットカード１１０の加盟店に備えられた決済装置１２０とによって構成されている。
【００２６】
クレジットカード１１０は、クレジットカード会社または決済システム１００を提供するサービス会社などによって顧客に対して発行されたものであり、ＩＣチップを内蔵する。このＩＣチップには、情報の記録や演算をするための集積回路であり、ここにはカード情報、チャージ金額情報などが記録されている。また、クレジットカード１１０にＣＰＵやコプロセッサなどを組み込めばカード内部で情報処理も可能になる。
【００２７】
このカード情報は、決済装置１２０に備えられたリーダ／ライタによって、読み取り／書き込みがおこなわれる。カード情報には、クレジットカード１１０の上限金額と、クレジットカード１１０にチャージされているチャージ金額とが、クレジットカード１１０を一意に識別するための「カードＩＤ」に関連付けられて記録されている。
【００２８】
ここで、クレジットカードの上限金額としては、「５円」（最小単位の硬貨よりも金額が大きい貨幣の金額と同額）、「１０円」、「５０円」、「１００円」、「５００円」、「１０００円」（最大単位の硬貨よりも金額が大きい紙幣のうち、最小単位の紙幣の金額と同額）、「２０００円」、「５０００円」、「１００００円」などが挙げられる。たとえば、全く小銭を扱いたくない場合は、「１０００円」が設定される。
【００２９】
なお、本実施の形態においては、カード情報が記録されるＩＣチップを備えた携帯品の一例としてクレジットカード１１０を用いたが、これに限らず、たとえば、ＩＣチップを内蔵したチャージ専用のカードや、ＩＣチップを内蔵した携帯電話機などであってもよい。また、カード情報が記録される携帯品は、ＩＣチップを内蔵したものに限らず、たとえば、磁気記録媒体に対して磁気的にカード情報の読み取り／書き込みをおこなうことが可能な磁気カードなどであってもよい。
【００３０】
決済装置１２０は、カード会社の加盟店に設けられ、ディスプレイや操作ボタンなどのユーザ・インタフェースを備えたＰＯＳ端末などの情報処理装置であり、顧客との商取引の決済処理をおこなう。また、決済装置１２０は、リーダ／ライタを備え、このリーダ／ライタによってクレジットカード１１０に対するカード情報の読み取り／書き込みをおこなう。
【００３１】
このように構成された決済システム１００では、（１）顧客が店舗から商品を購入する際、（２）顧客は、クレジットカード１１０を店舗に提示する。（３）そして、店舗では、クレジットカード１１０をリーダ／ライタに翳す／挿入する／スキャンすることにより、クレジットカード１１０から当該クレジットカード１１０にチャージされているチャージ金額および当該クレジットカード１１０の上限金額を、決済装置１２０に読み取らせる。
【００３２】
（４）決済装置１２０は、クレジットカード１１０から読み取った情報および取引金額に基づいて、顧客が現金で支払うべき金額（以下、「支払金額」という）と、クレジットカード１１０からの引き落とし金額とを決定して、（５）決定した支払金額およびクレジットカード１１０からの引き落とし金額を顧客に提示する。このとき、決済装置１２０は、クレジットカード１１０の上限金額未満のつり銭金額が生じないように、支払金額およびクレジットカード１１０からの引き落とし金額を決定する。
【００３３】
（６）顧客は、提示された支払金額以上かつクレジットカード１１０の上限金額単位の現金を店舗に支払う。（７）そして、店舗では、支払われた現金の金額が決済装置１２０に入力され、入力された現金の金額と、上記（４）で決定されたクレジットカード１１０からの引き落とし金額とにより、取引金額が決済される。
【００３４】
（８）さらに、決済装置１２０は、支払金額と、顧客によって支払われた現金の金額とに基づいて、上限金額単位の現金のつり銭の金額と、クレジットカード１１０にチャージするチャージ金額とを決定する。
【００３５】
（９）そのうえ、決済装置１２０は、上記（４）で決定されたクレジットカード１１０からの引き落とし金額と上記（８）で決定されたクレジットカード１１０にチャージするチャージ金額とに基づいて、クレジットカード１１０にチャージされているチャージ金額を更新する。同時に、決済装置１２０は、更新されたチャージ金額をクレジットカード１１０の表面に印刷する。
【００３６】
（１０）最後に、店舗から、クレジットカード１１０と、上記（８）で金額が決定された上限金額単位の現金のつり銭とが顧客に返戻され、一連の取引が終了する。
【００３７】
（決済装置１２０のハードウエア構成）
つぎに、本実施の形態にかかる決済装置１２０のハードウエア構成について説明する。図２は、本実施の形態にかかる決済装置１２０のハードウエア構成の一例を示すブロック図である。
【００３８】
図２において、決済装置１２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ＨＤＤ（Ｈａｒｄ  Ｄｉｓｃ  Ｄｒｉｖｅ）２０４と、ＨＤ（Ｈａｒｄ  Ｄｉｓｃ）２０５と、ＦＤＤ（Ｆｌｅｘｉｂｌｅ  Ｄｉｓｃ  Ｄｒｉｖｅ）２０６と、ＦＤ（Ｆｌｅｘｉｂｌｅ  Ｄｉｓｃ）２０７と、ディスプレイ２０８と、Ｉ／Ｆ（インタフェース）２０９と、キーボード２１０と、マウス２１１と、プリンタ２１２と、リーダ／ライタ２１３と、を備えて構成されており、上記各構成部はバス２２０などによってそれぞれ接続されている。
【００３９】
ＣＰＵ２０１は、決済装置１２０の全体の制御を司る。ＲＯＭ２０２は、各種制御プログラムなどを記録する。ＲＡＭ２０３は、ＣＰＵ２０１のワークエリアとして使用される。ＨＤＤ２０４はＣＰＵ２０１の制御命令にしたがって、ＨＤ２０５に対するデータの読み取り／書き込みを制御する。ＨＤ２０５は、ＨＤＤ２０４の制御で書き込まれたデータを記録する。ＦＤＤ２０６はＣＰＵ２０１の制御命令にしたがって、ＦＤ２０７に対するデータの読み取り／書き込みの制御をおこなう。
【００４０】
ＦＤ２０７は、ＦＤＤ２０６の制御で書き込まれたデータを記録する着脱可能な記録媒体である。着脱可能な記録媒体として、ＦＤ２０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。
【００４１】
ディスプレイ２０８は、テキストデータ、画像データなどの各種情報を表示する。ディスプレイ２０８は、たとえばＴＦＴ（Ｔｈｉｎ  Ｆｉｌｍ  Ｔｒａｎｓｉｓｔｏｒ）液晶ディスプレイのほか、ＣＲＴ（Ｃａｔｈｏｄｅ  Ｒａｙ  Ｔｕｂｅ）やプラズマディスプレイなどであってもよい。
【００４２】
Ｉ／Ｆ２０９は、通信回線を通じてネットワーク２３０に接続され、ネットワーク２３０を介して、他の情報処理装置に接続される。そして、Ｉ／Ｆ２０９は、ネットワーク２３０と装置内部とのインタフェースを司り、他の情報処理装置とのデータの入出力を制御する。Ｉ／Ｆ２０９は、たとえばモデムやＬＡＮアダプタなどである。また、Ｉ／Ｆ２０９は、ＵＳＢなどの外部入出力としても用いることができる。
【００４３】
キーボード２１０およびマウス２１１は、各種データの入力・設定などに用いる。プリンタ２１２は、各種情報の印刷に用いる。プリンタ２１２として、たとえばレーザプリンタやインクジェットプリンタなどを用いることができる。
【００４４】
リーダ／ライタ２１３は、顧客の携帯品に内蔵された記録媒体の種類に応じて、当該記録媒体に対する情報の読み取り／書き込みをおこなう。たとえば、リーダ／ライタ２１３は、上記携帯品がＩＣカードや情報処理装置（たとえば携帯情報端末装置）の場合、接触／非接触による通信により、情報の読み取り／書き込みをおこなう。また、リーダ／ライタ２１３は、上記携帯品が磁気カードの場合、磁気的に情報の読み取り／書き込みをおこなう。
【００４５】
（決済装置１２０の機能的構成）
つぎに、本実施の形態にかかる決済装置１２０の機能的構成について説明する。図３は、本実施の形態にかかる決済装置１２０の機能的構成の一例を示すブロック図である。
【００４６】
図３において、決済装置１２０は、読取部３０１と、取引金額入力部３０２と、決定部３０３と、判断部３０４と、入金額算出部３０５と、支払金額算出部３０６と、表示部３０７と、支払金額入力部３０８と、つり銭金額算出部３０９と、入出金部３１０と、印刷部３１１とによって構成されている。
【００４７】
読取部３０１は、顧客のクレジットカード１１０から、当該クレジットカード１１０のカード情報を読み取ることによって、クレジットカード１１０にチャージされているチャージ金額およびクレジットカード１１０の上限金額を取得する。具体的には、リーダ／ライタ２１３（図２参照）によって、顧客のクレジットカード１１０から、当該クレジットカード１１０のカード情報を読み取る。
【００４８】
取引金額入力部３０２は、顧客との商取引に関する取引金額の入力を受け付ける。具体的には、ユーザがおこなったキーボード２１０およびマウス２１１（図２参照）の操作に基づいて、取引金額を取得する。なお、商品にバーコードやＱＲコードなどの識別情報が印刷または貼付されている場合は、この識別情報を読み取り、読み取った識別情報に基づいて、データベースから取引金額を取得するようにしてもよい。また、商品に上記取引金額が記録されたＩＣチップが貼付されている場合は、このＩＣチップから取引金額を読み取るようにしてもよい。
【００４９】
決定部３０３は、取引金額入力部３０２によって取得された取引金額を読取部３０１によって取得されたクレジットカード１１０の上限金額で除算した結果求められた余りを端数金額として決定する。たとえば、決定部３０３は、取引金額が「２５００円」であり、クレジットカード１１０の上限金額が「１０００円」の場合、「５００円」を端数金額と決定する。
【００５０】
判断部３０４は、読取部３０１によって取得されたチャージ金額が決定部３０３によって決定された端数金額未満であるか否かを判断する。
【００５１】
入金額算出部３０５は、読取部３０１によって取得されたチャージ金額が決定部３０３によって決定された端数金額未満であると判断部３０４によって判断された場合、読取部３０１によって取得された上限金額から決定部３０３によって決定された端数金額を減算することによってクレジットカード１１０へチャージするチャージ金額を算出する。
【００５２】
たとえば、入金額算出部３０５は、読取部３０１によって取得されたチャージ金額が「３００円」であり、読取部３０１によって取得された上限金額が「１０００円」であり、決定部３０３によって決定された端数金額が「５００円」の場合、クレジットカード１１０へチャージするチャージ金額として「５００円」を算出する。
【００５３】
支払金額算出部３０６は、読取部３０１によって取得されたチャージ金額が決定部３０３によって決定された端数金額未満であると判断部３０４によって判断された場合、取引金額入力部３０２によって取得された取引金額を読取部３０１によって取得された上限金額単位に切り上げすることによって、顧客の支払金額を算出する。
【００５４】
たとえば、支払金額算出部３０６は、読取部３０１によって取得されたチャージ金額が「３００円」であり、読取部３０１によって取得された上限金額が「１０００円」であり、取引金額入力部３０２によって取得された取引金額が「２５００円」の場合、顧客の支払金額として「３０００円」を算出する。
【００５５】
一方、支払金額算出部３０６は、読取部３０１によって取得されたチャージ金額が決定部３０３によって決定された端数金額未満ではないと判断部３０４によって判断された場合、取引金額入力部３０２によって取得された取引金額を読取部３０１によって取得された上限金額単位に切り下げすることによって、顧客の支払金額を算出する。
【００５６】
たとえば、支払金額算出部３０６は、読取部３０１によって取得されたチャージ金額が「６００円」であり、読取部３０１によって取得された上限金額が「１０００円」であり、取引金額入力部３０２によって取得された取引金額が「２５００円」の場合、顧客の支払金額として「２０００円」を算出する。
【００５７】
表示部３０７は、支払金額算出部３０６によって算出された支払金額を表示する。具体的には、上記支払金額を、ディスプレイ２０８（図２参照）の画面上に表示する。このとき、同時に、読取部３０１によって取得されたチャージ金額や上限金額、取引金額入力部３０２によって取得された取引金額などを表示するようにしてもよい。
【００５８】
支払金額入力部３０８は、顧客が支払った現金の金額の入力を受け付ける。ここで、支払金額入力部３０８が入力を受け付ける金額は、支払金額算出部３０６によって算出された支払金額以上かつ読取部３０１によって取得された上限金額単位である。たとえば、読取部３０１によって取得された上限金額が「１０００円」であり、支払金額算出部３０６によって算出された支払金額が「３０００円」の場合、「３０００円」や「５０００円」、「１００００円」などの金額の入力を受け付ける。支払金額入力部３０８は、具体的には、ユーザがおこなったキーボード２１０およびマウス２１１（図２参照）の操作に基づいて、顧客が支払った現金の金額を取得する。なお、顧客が支払った現金の金額を自動的に検出する検出装置が決済装置１２０に備えられている場合、この検出装置から、顧客が支払った現金の金額を取得するようにしてもよい。
【００５９】
つり銭金額算出部３０９は、支払金額入力部３０８によって入力された金額から、支払金額算出部３０６によって算出された支払金額を減算することによって、つり銭金額を算出する。
【００６０】
入出金部３１０は、入金額算出部３０５によって算出されたチャージ金額をクレジットカード１１０へチャージする。具体的には、リーダ／ライタ２１３（図２参照）によって、クレジットカード１１０に記録されているチャージ金額を、当該チャージ金額と入金額算出部３０５によって算出されたチャージ金額とを加算した結果求められる金額に更新する。
【００６１】
また、入出金部３１０は、読取部３０１によって取得されたチャージ金額が決定部３０３によって決定された端数金額未満ではないと判断部３０４によって判断された場合、決定部３０３によって決定された端数金額をクレジットカード１１０から引き落とす。具体的には、リーダ／ライタ２１３（図２参照）によって、クレジットカード１１０に記録されているチャージ金額を、当該チャージ金額から決定部３０３によって決定された端数金額を減算した結果求められる金額に更新する。
【００６２】
印刷部３１１は、クレジットカード１１０の外面に、当該クレジットカード１１０にチャージされているチャージ金額を印刷する。具体的には、プリンタ２１２（図２参照）によって、クレジットカード１１０の外面に、当該クレジットカード１１０にチャージされているチャージ金額を印刷する。なお、クレジットカード１１０が表示画面を備えている場合は、この表示画面に、当該クレジットカード１１０にチャージされているチャージ金額を表示させるようにしてもよい。
【００６３】
なお、上記各機能構成部のうち、決定部３０３、判断部３０４、入金額算出部３０５、支払金額算出部３０６、およびつり銭金額算出部３０９は、具体的には、たとえば図２に示したＲＯＭ２０２、ＲＡＭ２０３、ＨＤ２０５、ＦＤ２０７に記憶されたプログラムをＣＰＵ２０１が実行することによってその機能を実現する。
【００６４】
（決済装置１２０による決済処理の手順）
つぎに、決済装置１２０による決済処理の手順の一例について説明する。図４は、決済装置１２０による決済処理の手順の一例を示すフローチャートである。
【００６５】
まず、読取部３０１によって、顧客のクレジットカード１１０から、当該クレジットカード１１０のカード情報を読み取ることによって、クレジットカード１１０にチャージされているチャージ金額およびクレジットカード１１０の上限金額を取得する（ステップＳ４０１）。
【００６６】
つぎに、取引金額入力部３０２によって、顧客との商取引に関する取引金額の入力を受け付ける（ステップＳ４０２）。
【００６７】
つぎに、決定部３０３によって、ステップＳ４０２で取得された取引金額をステップＳ４０１で取得されたクレジットカード１１０の上限金額で除算した結果求められた余りを端数金額として決定する（ステップＳ４０３）。
【００６８】
つぎに、判断部３０４によって、ステップＳ４０１で取得されたチャージ金額がステップＳ４０３で決定された端数金額未満であるか否かを判断する（ステップＳ４０４）。
【００６９】
ステップＳ４０４において、ステップＳ４０１で取得されたチャージ金額がステップＳ４０３で決定された端数金額未満であると判断した場合（ステップＳ４０４：Ｙｅｓ）は、入金額算出部３０５によって、ステップＳ４０１で取得された上限金額からステップＳ４０３で決定された端数金額を減算することにより、クレジットカード１１０へチャージするチャージ金額を算出する（ステップＳ４０５）。
【００７０】
そして、支払金額算出部３０６によって、ステップＳ４０２で取得された取引金額をステップＳ４０１で取得された上限金額単位に切り上げすることによって、顧客の支払金額を算出して（ステップＳ４０６）、表示部３０７によって、ステップＳ４０６で算出された支払金額を表示する（ステップＳ４０７）。
【００７１】
続いて、支払金額入力部３０８によって、顧客が支払った現金の金額の入力を受け付けて（ステップＳ４０８）、つり銭金額算出部３０９によって、ステップＳ４０８で入力された金額から、ステップＳ４０６で算出された支払金額を減算することによって、つり銭金額を算出する（ステップＳ４０９）。
【００７２】
さらに、入出金部３１０によって、入金額算出部３０５によって算出されたチャージ金額をクレジットカード１１０へチャージして（ステップＳ４１０）、最後に、印刷部３１１によって、クレジットカード１１０の外面に、当該クレジットカード１１０にチャージされているチャージ金額を印刷して（ステップＳ４１１）、一連の処理を終了する。
【００７３】
一方、ステップＳ４０４において、ステップＳ４０１で取得されたチャージ金額がステップＳ４０３で決定された端数金額未満ではないと判断した場合（ステップＳ４０４：Ｎｏ）は、支払金額算出部３０６によって、ステップＳ４０２で取得された取引金額をステップＳ４０１で取得された上限金額単位に切り下げすることによって、顧客の支払金額を算出して（ステップＳ４１２）、表示部３０７によって、ステップＳ４１２で算出された支払金額を表示する（ステップＳ４１３）。
【００７４】
続いて、支払金額入力部３０８によって、顧客が支払った現金の金額の入力を受け付けて（ステップＳ４１４）、つり銭金額算出部３０９によって、ステップＳ４１４で入力された金額から、ステップＳ４１２で算出された支払金額を減算することによって、つり銭金額を算出する（ステップＳ４１５）。
【００７５】
さらに、入出金部３１０によって、ステップＳ４０３で決定された端数金額をクレジットカード１１０から引き落として（ステップＳ４１６）、最後に、印刷部３１１によって、クレジットカード１１０の外面に、当該クレジットカード１１０にチャージされているチャージ金額を印刷して（ステップＳ４１７）、一連の処理を終了する。
【００７６】
（具体的な決済処理の一例）
つぎに、決済装置１２０による具体的な決済処理の一例について説明する。図５〜図８は、決済装置１２０による具体的な決済処理の一例を示す説明図である。
【００７７】
たとえば、図５は、クレジットカード１１０にチャージされているチャージ金額が「０円」であり、かつクレジットカード１１０の上限金額が「１０００円」であり、さらに取引金額が「１１００円」の場合の、決済装置１２０による具体的な決済処理を示したものである。
【００７８】
図５においては、決済装置１２０は、クレジットカード１１０から読み取った当該クレジットカード１１０にチャージされているチャージ金額「０円」および上限金額「１０００円」と、ユーザ入力された取引金額「１１００円」と、に基づいて、支払金額を「１１００円」と決定し、クレジットカード１１０からの引き落とし金額を「０円」と決定する。そして、決済装置１２０は、決定した支払金額およびクレジットカード１１０からの引き落とし金額をディスプレイ２０８の画面上に表示する。
【００７９】
そして、図５に示すように、顧客が支払った現金の金額として「２０００円」がユーザ入力されると、決済装置１２０は、クレジットカード１１０の上限金額「１０００円」と、支払金額「１１００円」と、顧客が支払った現金の金額「２０００円」と、に基づいて、つり銭金額を「０円」と決定し、クレジットカード１１０にチャージするチャージ金額を「９００円」と決定する。そして、決済装置１２０は、クレジットカード１１０にチャージされているチャージ金額「０円」と、クレジットカード１１０にチャージするチャージ金額「９００円」とに基づいて、クレジットカード１１０にチャージされているチャージ金額を「９００円」に更新する。
【００８０】
また、図６は、クレジットカード１１０にチャージされているチャージ金額が「９００円」であり、かつクレジットカード１１０の上限金額が「１０００円」であり、さらに取引金額が「２００円」の場合の、決済装置１２０による具体的な決済処理を示したものである。
【００８１】
図６においては、決済装置１２０は、クレジットカード１１０から読み取った当該クレジットカード１１０にチャージされているチャージ金額「９００円」および上限金額「１０００円」と、ユーザ入力された取引金額「２００円」と、に基づいて、支払金額を「０円」と決定し、クレジットカード１１０からの引き落とし金額を「２００円」と決定する。そして、決済装置１２０は、決定した支払金額およびクレジットカード１１０からの引き落とし金額をディスプレイ２０８の画面上に表示する。さらに、決済装置１２０は、クレジットカード１１０にチャージされているチャージ金額「９００円」と、クレジットカード１１０からの引き落とし金額「２００円」とに基づいて、クレジットカード１１０にチャージされているチャージ金額を「７００円」に更新する。
【００８２】
また、図７は、クレジットカード１１０にチャージされているチャージ金額が「７００円」であり、かつクレジットカード１１０の上限金額が「１０００円」であり、さらに取引金額が「１５００円」の場合の、決済装置１２０による具体的な決済処理を示したものである。
【００８３】
図７においては、決済装置１２０は、クレジットカード１１０から読み取った当該クレジットカード１１０にチャージされているチャージ金額「７００円」および上限金額「１０００円」と、ユーザ入力された取引金額「１５００円」と、に基づいて、支払金額を「１０００円」と決定し、クレジットカード１１０からの引き落とし金額を「５００円」と決定する。そして、決済装置１２０は、決定した支払金額およびクレジットカード１１０からの引き落とし金額をディスプレイ２０８の画面上に表示する。
【００８４】
そして、図７に示すように、顧客が支払った現金の金額として「５０００円」がユーザ入力されると、決済装置１２０は、クレジットカード１１０の上限金額「１０００円」と、支払金額「１０００円」と、顧客が支払った現金の金額「５０００円」と、に基づいて、つり銭金額を「４０００円」と決定し、クレジットカード１１０にチャージするチャージ金額を「０円」と決定する。そして、決済装置１２０は、クレジットカード１１０にチャージされているチャージ金額「７００円」と、クレジットカード１１０からの引き落とし金額「５００円」とに基づいて、クレジットカード１１０にチャージされているチャージ金額を「２００円」に更新する。
【００８５】
また、図８は、クレジットカード１１０にチャージされているチャージ金額が「２００円」であり、かつクレジットカード１１０の上限金額が「１０００円」であり、さらに取引金額が「１５００円」の場合の、決済装置１２０による具体的な決済処理を示したものである。
【００８６】
図８においては、決済装置１２０は、クレジットカード１１０から読み取った当該クレジットカード１１０にチャージされているチャージ金額「２００円」および上限金額「１０００円」と、ユーザ入力された取引金額「１５００円」と、に基づいて、支払金額を「１５００円」と決定し、クレジットカード１１０からの引き落とし金額を「０円」と決定する。そして、決済装置１２０は、決定した支払金額およびクレジットカード１１０からの引き落とし金額をディスプレイ２０８の画面上に表示する。
【００８７】
そして、図８に示すように、顧客が支払った現金の金額として「２０００円」がユーザ入力されると、決済装置１２０は、クレジットカード１１０の上限金額「１０００円」と、支払金額「１５００円」と、顧客が支払った現金の金額「２０００円」と、に基づいて、つり銭金額を「０円」と決定し、クレジットカード１１０にチャージするチャージ金額を「５００円」と決定する。そして、決済装置１２０は、クレジットカード１１０にチャージされているチャージ金額「２００円」と、クレジットカード１１０にチャージするチャージ金額「５００円」とに基づいて、クレジットカード１１０にチャージされているチャージ金額を「７００円」に更新する。
【００８８】
このように、本実施の形態においては、図５〜図８で示したいずれの場合においても、クレジットカード１１０の上限金額「１０００円」未満の現金は、クレジットカード１１０から引き落とし／チャージされるため、クレジットカード１１０の上限金額「１０００円」未満の現金を顧客が支払ったり、顧客に返戻されたりすることはない。
【００８９】
（クレジットカード１１０に印刷されたカード情報の一例）
つぎに、クレジットカード１１０に印刷されたカード情報の一例について説明する。図９は、クレジットカード１１０に印刷されたカード情報の一例を示す説明図である。
【００９０】
たとえば、図９に示すクレジットカード１１０には、当該クレジットカード１１０のカードＩＤ「０００１」、上限金額「１０００円」、およびチャージ金額「７００円」が印刷されている。このように、カード情報が印刷されたことにより、たとえば顧客は、クレジットカード１１０にチャージされているチャージ金額を、場所を問わず容易に把握することができる。また、本実施の形態においては、クレジットカード１１０にチャージされているチャージ金額が更新されるたびに、更新されたチャージ金額を印刷する構成としているため、たとえば顧客は、常に最新のチャージ金額を、場所を問わず容易に把握することができる。
【００９１】
（携帯情報端末装置に表示されたカード情報の一例）
つぎに、携帯情報端末装置に表示された情報（たとえばカード情報）の一例について説明する。図１０は、携帯情報端末装置に表示された情報の一例を示す説明図である。
【００９２】
図１０において、携帯情報端末装置１０００は、カード情報を記録するためのＩＣチップ（後述する図１１に示す１１０４）を内蔵し、クレジットカードとしての機能を有する記録媒体の一例を示したものである。携帯情報端末装置１０００は、具体的には、携帯電話機、ＰＤＡ、パーソナルコンピュータなど、一般的には顧客が携帯可能な機器などである。この携帯情報端末装置１０００は、各種情報を表示するための表示画面（後述する図１１に示すディスプレイ１１０７）を備えている。
【００９３】
図１０に示す携帯電話機１０００の表示画面上には、たとえば、当該携帯電話機１０００が機能するクレジットカードのカードＩＤ「０００２」、上限金額「１０円」、およびチャージ金額「３円」が表示されている。このように、カード情報が表示されたことにより、たとえば顧客は、携帯情報端末装置１０００が機能するクレジットカードのチャージ金額を、場所を問わず容易に把握することができる。
【００９４】
（携帯情報端末装置１０００のハードウエア構成）
図１１は、本実施の形態にかかる記録媒体としての携帯情報端末装置１０００のハードウエア構成の一例を示すブロック図である。図１１において、携帯情報端末装置１０００は、ＣＰＵ１１０１、ＲＯＭ１１０２、ＲＡＭ１１０３、ＩＣチップ１１０４、通信Ｉ／Ｆ１１０５、キーボード１１０６、ディスプレイ１１０７、ＧＰＳ１１０８を備えて構成されており、上記各構成部はバス１１００などによってそれぞれ接続されている。
【００９５】
そのほか携帯情報端末装置１０００が、携帯電話機の場合には一般的な電話機としての通話機能、電子メール送受信機能、インターネット接続機能などを備えており、また、ＰＤＡ、パーソナルコンピュータの場合には一般的な情報処理機能などを備えている。また、記録紙に印刷し出力するプリンタ（たとえば感熱型プリンタ）などを備えていてもよい。
【００９６】
ＣＰＵ１１０１は、携帯情報端末装置１０００の全体の制御を司る。ＲＯＭ１１０２は、各種制御プログラムなどを記録する。ＲＡＭ１１０３は、ＣＰＵ１１０１のワークエリアとして使用される。ＩＣチップ１１０４には、カード情報が記録されている。
【００９７】
ＩＣチップ１１０４は上述したので詳細は省略する。ＩＣチップは、接触／非接触型による通信によって、図２に示したリーダ・ライタ２１３と接続する。また、通信Ｉ／Ｆ１１０５を用いて、赤外線通信などの近距離無線通信によって接続してもよい。
【００９８】
通信Ｉ／Ｆ１１０５は、図示を省略する無線中継局を経由して、通信回線を通じて図２に示したネットワーク２３０（図示省略）に接続され、ネットワーク２３０を介して、他の情報処理装置に接続される。そして、通信Ｉ／Ｆ１１０５は、ネットワーク２３０と装置内部とのインタフェースを司り、他の情報処理装置とのデータの入出力を制御する。通信Ｉ／Ｆ１１０５は、たとえばモデムやＬＡＮアダプタなどである。また、通信Ｉ／Ｆ１１０５は、ＵＳＢなどの外部入出力としても用いることができる。さらに通信Ｉ／Ｆ１１０５は、赤外線通信などの近距離無線通信などを用いてもよい。
【００９９】
キーボード１１０６は、各種データの入力・設定などに用いる。具体的にはテンキーや十字キー、タッチパネルなどを含む。また、ディスプレイ１１０７は、テキストデータ、画像データなどの各種情報を表示する。ディスプレイ１１０７は、携帯可能な小型サイズのたとえばＴＦＴ（Ｔｈｉｎ  Ｆｉｌｍ  Ｔｒａｎｓｉｓｔｏｒ）液晶ディスプレイ、有機ＥＬディスプレイ、壁などに投影する投影型のディスプレイなど、表示内容を顧客や店舗の従業員などが確認できるものであればよい。
【０１００】
ＧＰＳ（Ｇｌｏｂａｌ  Ｐｏｓｉｔｉｏｎｉｎｇ  Ｓｙｓｔｅｍｓ）１１０８は、全地球測位システムであり、ＧＰＳ衛星からの電波を受信し、ＧＰＳ衛星との幾何学的位置を求めるものであり、地球上どこでも計測可能である。最低３個のＧＰＳ衛星からの電波を受信できれば、２次元（緯度・経度）の位置測定ができる。電波としては、１．５７５．４２ＭＨｚの搬送波で、Ｃ／Ａ（Ｃｏａｒｓｅ  ａｎｄ  Ａｃｃｅｓｓ）コードおよび航法メッセージが乗っているＬ１電波を用いておこなわれる。Ｃ／Ａコードはビット率１．０２３Ｍｂｐｓで、コードの長さは１０２３ｂｉｔ＝１ｍｓである。また、航法メッセージはビット率５０ｂｐｓで、コードの長さは、サブフレームが３００ｂｉｔ＝６ｓであり、メインフレームが１５００ｂｉｔ＝３０ｓであり、５サブフレームが１メインフレームであり、２５メインフレームが１マスターフレームである。
【０１０１】
（携帯情報端末装置１０００の機能的構成）
つぎに、本実施の形態にかかる記録媒体として携帯情報端末装置１０００の機能的構成の一例について説明する。図１２は、本実施の形態にかかる記録媒体としての携帯情報端末装置１０００の機能的構成の一例を示すブロック図である。
【０１０２】
図１２において、携帯情報端末装置１０００は、通貨切替指示入力部１２０１と、現在地情報取得部１２０２と、通貨情報記憶部１２０３と、通貨切替制御部１２０４と、換算レート情報取得部１２０５と、換算レート情報記憶部１２０６と、チャージ金額記憶部１２０７と、チャージ金額決定部１２０８と、表示部１２０９とによって構成されている。
【０１０３】
通貨切替指示入力部１２０１は、顧客からの通貨切り替えの指示を受け付ける。具体的には、たとえば後述する図１３において、現在表示されている通貨（日本円）から別の通貨（米国ドルなど）への切り替え指示である。通貨切替指示入力部１２０１は、具体的にはたとえば図１１に示したキーボード１１０６によってその機能を実現する。
【０１０４】
現在地情報取得部１２０２は、記録媒体である携帯情報端末装置１０００の現在の所在位置に関する情報（緯度・経度情報）を取得し、その情報から少なくともどこの国かあるいはどこの都市かに関する情報に変換する。現在地情報取得部１２０２は、所定時間間隔ごとに情報を取得してもよく、顧客からの要求指示に基づいて情報を取得するようにしてもよい。現在地情報取得部１２０２は、具体的には、たとえば図１１に示したＧＰＳ１１０８によってその機能を実現する。
【０１０５】
通貨情報記憶部１２０３は、各国で流通する換算レート、通貨の種類、顧客ごとの上限金額に関する情報などを記憶する。通貨情報記憶部１２０３は、具体的には、たとえば図１１に示したＲＯＭ１１０２、ＲＡＭ１１０３によってその機能を実現する。
【０１０６】
通貨切替制御部１２０４は、通貨情報記憶部１２０３から所定の情報を抽出し、抽出された情報を用いて、通貨切替指示入力部１２０１によって受け付けられた指示に基づいて通貨の切替をおこなう。通貨切替制御部１２０４は、具体的には、たとえば、図１１に示したＣＰＵ１１０１が、ＲＯＭ１１０２またはＲＡＭ１１０３に記憶されたプログラムを実行することによってその機能を実現する。通貨切替制御部１２０４は、たとえば日本円が表示されている状態において、通貨切替指示入力部１２０１によって米国ドルへの切り替えが指示された場合は、その指示にしたがって、通貨が米国ドルになるようにし、米国ドルが表示されている状態に切り替える。
【０１０７】
また通貨切替制御部１２０４は、現在地情報取得部１２０２によって取得された現在地情報（どこの国かあるいはどこの都市か）に基づいて、当該現在位置において流通する通貨を判断し、判断した通貨への切替をおこなう。たとえば、日本円が表示されている状態において、現在地情報取得部１２０２によって取得された現在地情報が米国あるいはニューヨークである場合（そのためには、携帯情報端末装置１０００を携帯した顧客がニューヨークに移動することが前提となる）に、その指示にしたがって、通貨が米国ドルになるようにし、米国ドルが表示されている状態に切り替える。したがって、顧客は通貨を指定する必要はなく、移動するだけで最適な通貨に切り替わることになる。
【０１０８】
換算レート情報取得部１２０５は、換算レートに関する情報を取得する。ネットワーク上に存在するあらかじめ定められた所定のサイトか換算レートを定期的にあるいは顧客からの要求指示に基づいて取得する。換算レート情報取得部１２０５は、具体的には、たとえば図１１に示した通信Ｉ／Ｆ１１０５によってその機能を実現する。
【０１０９】
換算レート情報記憶部１２０６は、換算レート情報取得部１２０５によって取得された換算レートに関する情報を記憶する。そして、換算レート情報取得部１２０５によって新たな情報が取得された場合には、すでに記憶されている情報を更新する。換算レート情報記憶部１２０６は、具体的には、たとえば図１１に示したＲＯＭ１１０２、ＲＡＭ１１０３によってその機能を実現する。
【０１１０】
チャージ金額記憶部１２０７は、チャージされている金額に関する情報を記憶する。チャージ金額記憶部１２０７に記憶されている金額に関する情報は、チャージがおこなわれるたびに変更される。チャージ金額記憶部１２０７は、具体的には、たとえば図１１に示したＩＣチップ１１０４によってその機能を実現する。あるいは、ＲＯＭ１１０２、ＲＡＭ１１０３によってその機能を実現するようにしてもよい。
【０１１１】
チャージ金額決定部１２０８は、チャージ金額記憶部１２０７によって記憶されているチャージ金額を通貨切替制御部１２０４によって切り替えられた通貨による金額に換算する。具体的には、たとえば元の通貨におけるチャージ金額に、換算レート情報取得部１２０５によって取得され換算レート情報記憶部１２０６に記憶された換算レートを乗算して切り替え先のチャージ金額とする。チャージ金額決定部１２０８は、具体的には、たとえば、図１１に示したＣＰＵ１１０１が、ＲＯＭ１１０２またはＲＡＭ１１０３に記憶されたプログラムを実行することによってその機能を実現する。
【０１１２】
表示部１２０９は、通貨切替制御部１２０４によって切り替えられた通貨の表示およびチャージ金額決定部１２０８によって決定された当該通貨におけるチャージ金額を表示する。表示部１２０９は、具体的には、たとえば図１１に示したディスプレイ１１０７によってその機能を実現する。
【０１１３】
つぎに、携帯情報端末装置１０００に表示された情報の一例について説明する。図１３〜図１７は、本実施の形態にかかる携帯情報端末装置に表示されたカード情報の一例を示す説明図である。図１３〜図１７において、携帯情報端末装置１０００の表示領域には、複数の通貨切替タブ１３０１（１３０１ａ〜１３０１ｅ）が表示されている。この通貨切替タブ１３０１をカーソルあるいはタッチパネルなどで顧客が指定することによって、タブに記載された通貨への切り替え指示の入力が受け付けられ、表示の切り替えが実行される。
【０１１４】
図１３では、「（日本）円」の通貨切替タブ１３０１ａが指定されている状態であり、それにともなって日本円の通貨についての情報が表示される。具体的には、上限金額表示欄１３０２には日本円における上限金額である「１０００円」が表示されている。同様に、チャージ金額表示欄１３０３には、日本円におけるチャージ金額である「５５５円」が
表示されている。
【０１１５】
さらに、現在地情報取得部によって取得された現在地情報表示欄１３０４には、現在地である「東京」が表示されている。ここには都市名ではなく国名のみを表示するようにしてもよい。その下側には、顧客の確認指示を受け付けるための「ＯＫ」ボタン１３０５が表示されている。
【０１１６】
つぎに、図１４は、図１３の状態で当該携帯情報端末装置１０００を携帯した顧客が日本国の東京から米国のニューヨークへ移動した状態を示している。図１４において、「ドル」の通貨切替タブ１３０１ｂに表示が切り替わり、現在地情報表示欄１４０４には、現在地である「ニューヨーク」が表示されている。また、米国ドルにおける上限金額表示欄１４０２には、あらかじめ設定されていた米国ドルにおける上限金額である「１０ドル」が表示されている。
【０１１７】
また、チャージ金額表示欄１４０３には、日本円におけるチャージ金額を換算レート（１ドル＝１１５円）によって換算された米国ドルの金額である「４ドル８２セント」が表示されている。さらに、その右側には、換算される前の通貨（日本円）におけるチャージ金額（５５５円）が参考のため表示されている。さらに、その周辺には、換算レート（「１ドル＝１１５円」）および換算レートの日付（「２００７．５．１」）があわせて表示されている。この表示状態において、顧客によって「ＯＫ」ボタン１３０５が押下されると、この換算は確定した状態になる。そして米国ドルによる取引（チャージ）が可能となる。
【０１１８】
図１５は、ニューヨークにおいて取引（チャージ）をおこなった状態を示している。図１５において、チャージ金額表示欄１５０３には、図１４のチャージ金額表示欄１４０３に示されていた「４ドル８２セント」から３ドル５０セントを支払った残りの「１ドル３２セント」が表示されている。
【０１１９】
つぎに、図１６は、図１５の状態で当該携帯情報端末装置１０００を携帯した顧客が米国のニューヨークからフランス国のパリへ移動した状態を示している。図１６において、「ユーロ」の通貨切替タブ１３０１ｃに表示が切り替わり、現在地情報表示欄１６０４には、現在地である「パリ」が表示されている。また、ユーロにおける上限金額表示欄１６０２には、あらかじめ設定されていたユーロにおける上限金額である「１０ユーロ」が表示されている。
【０１２０】
また、チャージ金額表示欄１６０３には、米国ドルにおけるチャージ金額を換算レート（１ユーロ＝１．４５ドル）によって換算されたユーロの金額である「０．９１ユーロ」が表示されている。さらに、その右側には、換算される前の通貨（米国ドル）におけるチャージ金額（１．３２ドル）が参考のため表示されている。さらに、その周辺には、換算レート（「１ユーロ＝１．４５ドル」）および換算レートの日付（「２００７．５．１０」）があわせて表示されている。この表示状態において、顧客によって「ＯＫ」ボタン１３０５が押下されると、この換算は確定した状態になる。そしてユーロによる取引（チャージ）が可能となる。
【０１２１】
つぎに、図１７は、図１６の状態で当該携帯情報端末装置１０００を携帯した顧客がフランス国のパリから日本国の大阪へ移動した状態を示している。図１７において、「円」の通貨切替タブ１３０１ａに表示が切り替わり、現在地情報表示欄１７０４には、現在地である「大阪」が表示されている。また、日本円における上限金額表示欄１７０２には、図１３と同様に日本円における上限金額である「１０００円」が表示されている。
【０１２２】
また、チャージ金額表示欄１７０３には、ユーロにおけるチャージ金額を換算レート（１円＝０．００６ユーロ）によって換算された日本円の金額である「１５１円」が表示されている。さらに、その右側には、換算される前の通貨（ユーロ）におけるチャージ金額（０．３１ユーロ）が参考のため表示されている。さらに、その周辺には、換算レート（「１円＝０．００６ユーロ」）および換算レートの日付（「２００７．５．２５」）があわせて表示されている。この表示状態において、顧客によって「ＯＫ」ボタン１３０５が押下されると、この換算は確定した状態になる。そして再び日本円による取引（チャージ）が可能となる。
【０１２３】
（携帯情報端末装置１０００による通貨切替処理の手順）
つぎに、携帯情報端末装置１０００による通貨切替処理の手順の一例について説明する。図１８は、携帯情報端末装置１０００による通貨切替処理の手順の一例を示すフローチャートである。
【０１２４】
図１８のフローチャートにおいて、携帯情報端末装置１０００は、現在地情報取得部１２０２によって、現在地に関する情報（現在地情報）を取得する（ステップＳ１８０１）。そして、現在表示している通貨にかかる国と異なる国であるか否かを判断する（ステップＳ１８０２）。
【０１２５】
ここで、同一の国である場合（ステップＳ１８０２：Ｎｏ）は、都市も同一である場合は何もせずに、都市が異なる場合は現在地欄のみ変更し（図示省略）、ステップＳ１８０４へ移行する。一方、国が異なる場合（ステップＳ１８０２：Ｙｅｓ）は、つぎに通貨が異なるか否かを判断する（ステップＳ１８０３）。ユーロのように国が異なっても通貨は共通の場合があるからである。ステップＳ１８０３において、通貨が同一の場合（ステップＳ１８０３：Ｎｏ）は、国名あるいは都市名のみ変更し、ステップＳ１８０４へ移行する。一方、通貨が異なる場合（ステップＳ１８０３：Ｙｅｓ）は、ステップＳ１８０５へ移行する。
【０１２６】
つぎに、ステップＳ１８０４において、顧客による通貨切替指示があったか否かを判断する（ステップＳ１８０４）。ここで、通貨切替指示がない場合（ステップＳ１８０４：Ｎｏ）は、ステップＳ１８０１へ戻り、ステップＳ１８０１〜Ｓ１８０４を繰り返し実行する。一方、通貨切替指示があった場合（ステップＳ１８０４：Ｙｅｓ）は、切り替えるべき通貨を通貨情報記憶部１２０３に記憶された情報を用いて決定する（ステップＳ１８０５）。
【０１２７】
さらに、換算レート情報取得部１２０５によって切替元から切替先の通貨間の換算レートを取得し（ステップＳ１８０６）、取得した換算レートに用いて、切替先の通貨におけるチャージ金額を決定する（ステップＳ１８０７）。そして、決定されたチャージ金額を含めた通貨切替表示をおこない（ステップＳ１８０８）、ステップＳ１８０１へ戻る。なお、図示を省略するが、ＯＫボタン１３０５の押下によって、チャージ金額の確定をするようにしてもよい。
【０１２８】
以上説明したように、本実施の形態にかかる決済方法、決済プログラム、および決済装置によれば、現金による取引であっても所定の上限金額未満のつり銭や支払いが発生しないため、小銭を扱う煩わしさから顧客を解放することができる。また、顧客に手間や時間をかけさせることなく、所定の上限金額未満のつり銭をクレジットカード１１０にチャージしたり、引き落としたりすることができる。これにより、容易に、所定の上限金額未満の現金を扱うことなく、現金による決済をおこなうことができるため、顧客による現金の利用意欲の向上を図ることができ、結果的に、現金取引における利便性の向上、つり銭の有効活用を図ることができる。
【０１２９】
また、クレジットカード１１０に上限金額を設けているため、カード紛失・盗難などによる損失を最小限のものとすることができる。このため、子供や老人など、クレジットカードの利用を敬遠しがちな顧客層でも、安心して利用する／利用させることができる。これにより、潜在的なカード利用者を効率的に発掘することができ、結果的に、カード業界や経済の活性化を図ることができる。
【０１３０】
また、既存のクレジットカードシステムを流用することができるため、システム構築費用やメンテナンス費用を抑えつつ、サービスを提供することができるため、サービスを提供する側における投資対効果の向上を図ることができる。
【０１３１】
また、海外旅行の際の処理の困る小銭の発生を防止することができ、外国通貨における小銭の潜在化防止を図ることができる。
【０１３２】
なお、クレジットカード１１０にＣＰＵやコプロセッサなどを組み込めばカード内部で情報処理も可能になる。したがって、本実施の形態にかかる決済装置がおこなう処理をカード内部で実行することも可能であり、その場合に、決済装置に代わってカード自体で全部または一部の処理をおこなわせ、残りを決済装置がおこなうようにしてもよい。
【０１３３】
また、本実施の形態で説明した決済方法は、あらかじめ用意されたプログラムをパーソナルコンピュータやワークステーションなどのコンピュータで実行することにより実現することができる。このプログラムは、ＲＡＭ、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１３４】
以上のように、本発明にかかる決済方法、決済プログラム、および決済装置は、クレジットカードを持たない顧客に対しても積極的にサービスを提供することを課題とするあらゆるビジネスに利用可能であり、特に、クレジットカードの利用を敬遠しがちな、子供や老人などの消費を促進し、経済の活性化を図るためのサービスとして有用である。
【図面の簡単な説明】
【０１３５】
【図１】本実施の形態にかかる決済システムの概要を示す説明図である。
【図２】本実施の形態にかかる決済装置のハードウエア構成の一例を示すブロック図である。
【図３】本実施の形態にかかる決済装置の機能的構成の一例を示すブロック図である。
【図４】決済装置による決済処理の手順の一例を示すフローチャートである。
【図５】決済装置による具体的な決済処理の一例を示す説明図である。
【図６】決済装置による具体的な決済処理の一例を示す説明図である。
【図７】決済装置による具体的な決済処理の一例を示す説明図である。
【図８】決済装置による具体的な決済処理の一例を示す説明図である。
【図９】本実施の形態にかかる記録媒体としてのクレジットカードに印刷されたカード情報の一例を示す説明図である。
【図１０】本実施の形態にかかる記録媒体としての携帯情報端末装置に表示された情報の一例を示す説明図である。
【図１１】本実施の形態にかかる記録媒体としての携帯情報端末装置のハードウエア構成の一例を示すブロック図である。
【図１２】本実施の形態にかかる記録媒体としての携帯情報端末装置の機能的構成の一例を示すブロック図である。
【図１３】携帯情報端末装置に表示されたカード情報の一例を示す説明図（その１）である。
【図１４】携帯情報端末装置に表示されたカード情報の一例を示す説明図（その２）である。
【図１５】携帯情報端末装置に表示されたカード情報の一例を示す説明図（その３）である。
【図１６】携帯情報端末装置に表示されたカード情報の一例を示す説明図（その４）である。
【図１７】携帯情報端末装置に表示されたカード情報の一例を示す説明図（その５）である。
【図１８】携帯情報端末装置による通貨切替処理の手順の一例を示すフローチャートである。
【符号の説明】
【０１３６】
１００  決済システム
１１０  クレジットカード
１２０  決済装置
３０１  読取部
３０２  取引金額入力部
３０３  決定部
３０４  判断部
３０５  入金額算出部
３０６  支払金額算出部
３０７  表示部
３０８  支払金額入力部
３０９  つり銭金額算出部
３１０  入出金部
３１１  印刷部
１０００  携帯情報端末装置
１２０１  通貨切替指示入力部
１２０２  現在地情報取得部
１２０３  通貨情報記憶部
１２０４  通貨切替制御部
１２０５  換算レート情報取得部
１２０６  換算レート情報記憶部
１２０７  チャージ金額記憶部
１２０８  チャージ金額決定部
１２０９  表示部
１３０１（１３０１ａ，１３０１ｂ，１３０１ｃ，１３０１ｄ，１３０１ｅ）  通貨切替タブ
【図１】
0005330679.tif 000002
【図２】
0005330679.tif 000003
【図３】
0005330679.tif 000004
【図４】
0005330679.tif 000005
【図５】
0005330679.tif 000006
【図６】
0005330679.tif 000007
【図７】
0005330679.tif 000008
【図８】
0005330679.tif 000009
【図９】
0005330679.tif 000010
【図１０】
0005330679.tif 000011
【図１１】
0005330679.tif 000012
【図１２】
0005330679.tif 000013
【図１３】
0005330679.tif 000014
【図１４】
0005330679.tif 000015
【図１５】
0005330679.tif 000016
【図１６】
0005330679.tif 000017
【図１７】
0005330679.tif 000018
【図１８】
0005330679.tif 000019